(57)【要約】      （修正有）【課題】光コネクタアダプタの実装密度を向上させると共に、光コネクタアダプタのスライド移動を容易にし、さらにスライド移動を停止させ固定できる光配線盤を提供する。【解決手段】光コネクタアダプタ４を縦方向に複数密接して可動フォルダ３に実装した後、シェルフ１に設けられたスライドレールに取付ける。そして、スライドレールに可動フォルダ３の取付けられていない空きスペースにブランクパネル５を実装する、又は、開閉可能な塞ぎ扉の閉塞動作によりスライドレールの空き空間を塞ぎ、可動フォルダのスライド移動を抑制する。【選択図】図２Ａ
2015102765.tif 000002
【特許請求の範囲】
【請求項１】
光ファイバケーブルを中継する光配線盤であって、
前記光ファイバケーブルを接続する光コネクタアダプタを複数実装可能な可動フォルダと、
複数の前記可動フォルダを移動可能に取り付けるスライドレールと、
前記可動フォルダの移動抑制部材と
を備えたことを特徴とする光配線盤。
【請求項２】
請求項１に記載の光配線盤において、
前記可動フォルダの移動抑制部材は、可動フォルダと同形状のブランクパネルであることを特徴とする光配線盤。
【請求項３】
請求項２に記載の光配線盤において、
前記ブランクパネルは、前記スライドレールに着脱可能であることを特徴とする光配線盤。
【請求項４】
請求項１に記載の光配線盤において、
前記可動フォルダの移動抑制部材は、開閉可能な扉であることを特徴とする光配線盤。
【請求項５】
請求項１〜４の何れか一つに記載の光配線盤において、
前記可動フォルダは、前記スライドレールに着脱可能であることを特徴とする光配線盤。
【請求項６】
請求項１〜５の何れか一つに記載の光配線盤において、
複数の前記可動フォルダは、前記光コネクタアダプタの取り付け数が異なることを特徴とする光配線盤。
【請求項７】
請求項１〜６の何れか一つに記載の光配線盤において、
前記可動フォルダは、前記光コネクタアダプタの着脱が可能であることを特徴とする光配線盤。
【請求項８】
請求項１〜７の何れか一つに記載の光配線盤を用いた光通信装置。
【発明の詳細な説明】
【技術分野】
【０００１】
本発明は、光ファイバケーブルを中継する光配線盤及びそれを用いた光通信装置に関するものである。
【背景技術】
【０００２】
光通信装置は、装置間及び機器間のデータ転送を行う際、光コネクタアダプタを有した光配線盤を介して光ファイバケーブルが中継され接続される。
近年、光通信装置のデータ量増加により光ファイバケーブルは増加傾向に有り、光配線盤の高密度化が求められている。
高密度化するために、光コネクタアダプタの実装密度を上げると、光コネクタアダプタへの光ファイバケーブルの接続作業や接続解除作業を行う際の作業スペースが確保されず、作業性を損なう恐れが有る。
【０００３】
このような光コネクタアダプタへの光ファイバケーブルの接続や接続解除作業を行う時に作業スペースを確保し、さらに光配線盤の高密度化を実現する機構が特許文献１（特開２００１−２３５６３２号公報）に開示されている。
特許文献１に記載された、光コネクタアダプタへの光ファイバケーブルの接続や接続解除作業を行うための作業スペースを確保し、さらに光配線盤の高密度化を実現する機構は、光コネクタが複数横並びに配列されてなるコネクタ配列部を備え、このコネクタ配列部に配列された光コネクタアダプタが、それぞれコネクタ配列部に設けられたコネクタスライド用レール(溝)に沿って横方向にスライド移動自在に支持され、光コネクタアダプタを横方向に移動することで、目的の光コネクタアダプタの横方向片側あるいは両側に作業用空間を形成することを特徴としている。
【先行技術文献】
【特許文献】
【０００４】
【特許文献１】特開２００１−２３５６３２号公報
【発明の概要】
【発明が解決しようとする課題】
【０００５】
特許文献１に記載された光配線盤は、光コネクタアダプタ単体をスライドレール（溝）に実装する機構であり、１列毎にスライドレール（溝）を光コネクタアダプタの上下に設けなくてはならない。そのため、スライドレール（溝）が実装スペースを要する為、縦方向に光コネクタアダプタを高密度で実装することが困難である。
また、光コネクタアダプタに光ファイバケーブルを接続作業又は接続解除作業をする時、光コネクタアダプタを１個ずつスライド移動して作業空間を確保しなくてはならず、作業が煩雑になるという問題もはらんでいる。
さらに、光コネクタアダプタをスライド移動しないように固定する機構がない為、接続作業又は接続解除作業以外の作業中に、意図しない光コネクタアダプタへの接触等により光コネクタアダプタ同士がスライドレール（溝）内で移動してしまう。そのため、活線状態の光ファイバケーブルの伝送損失が増加することで、光通信に影響を与える懸念がある。
【０００６】
そこで本発明は、これらの課題を解決するものであって、光コネクタアダプタの実装密度を向上させると共に、光コネクタアダプタのスライド移動を容易にし、さらにスライド移動を停止させ固定できる光配線盤を提供することを目的とする。
【課題を解決するための手段】
【０００７】
上記目的を達成するために、本発明は特許請求の範囲に記載の構成を採用する。
【０００８】
本発明は、上記課題を解決する手段を複数含んでいるが、その一例を挙げるならば、光ファイバケーブルを中継する光配線盤であって、前記光ファイバケーブルを接続する光コネクタアダプタを複数実装可能な可動フォルダと、複数の前記可動フォルダを移動可能に取り付けるスライドレールと、前記可動フォルダの移動抑制部材とを備えたことを特徴とする。
【０００９】
本発明の可動フォルダの移動抑制部材としては、可動フォルダと同形状のブランクパネル、または、開閉可能な扉でよい。
【発明の効果】
【００１０】
本発明によれば、光コネクタアダプタを可動フォルダに実装した後、可動フォルダをスライドレールに取付けている為、光コネクタアダプタの１列毎に設けられたスライドレールが不要となり、実装密度を向上させることができる。
【００１１】
また、光コネクタアダプタを可動フォルダに複数纏めて実装している為、光コネクタアダプタに光ケーブルを接続作業及び接続解除作業をする時、複数同時にスライド移動でき、スライド移動する回数が低減されるので、光コネクタアダプタに光ケーブルを接続又は接続解除作業を容易に行うことができる。
【００１２】
また、スライドレールの可動フォルダの取付けられていない空きスペースにブランクパネルを取付ける、もしくは開閉可能な塞ぎ扉を閉塞することで、スライドレールの可動フォルダの取付けられていない空きスペースを塞ぎ、可動フォルダのスライド移動を抑制させ、可動フォルダを固定できる為、輸送中の振動等により光コネクタアダプタ同士が衝突し、光コネクタアダプタが破損することを防ぐことができる。
【図面の簡単な説明】
【００１３】
【図１】光通信装置の全体構成図。
【図２Ａ】本発明の実施例１の光配線盤の正面斜視図。
【図２Ｂ】本発明の実施例１の光配線盤の背面斜視図。
【図３】本発明の実施例１の光配線盤の分解図。
【図４】光コネクタアダプタ４を可動フォルダ３に実装する前の状態図。
【図５】光コネクタアダプタ４を可動フォルダ３に実装した後の状態図。
【図６】シェルフ１に対するスライドレール２と可動フォルダ３の取り付け詳細図。
【図７】シェルフ１に対するケーブルガイド８の取付け詳細図。
【図８】光コネクタアダプタ４に対する光ファイバケーブル７の接続作業詳細図。
【図９】接続作業及び接続解除作業時の可動フォルダ３の操作作業詳細図。
【図１０】本発明の実施例１のブランクパネル５の取付け図。
【図１１】ブランクパネル５の取り付け詳細図。
【図１２】本発明の実施例２の光配線盤の正面図。
【図１３】本発明の実施例３の光配線盤の斜視図。
【発明を実施するための形態】
【００１４】
以下、図面を用いて本発明の実施の形態を説明する。なお、実施の形態を説明するための各図において、同一の機能を有する要素には同一の名称、符号を付して、その繰り返しの説明を省略する。
【実施例１】
【００１５】
先ず、本発明の基本構成を説明する。
図１は、本発明による通信装置９の全体構成図を示す。
【００１６】
本発明における通信装置９は、光配線盤９１、架９２、光ユニット９３、光ファイバケーブル７を有している。架９２は、複数の機器が搭載可能であり、光配線盤９１と光ユニット９３が搭載される。
【００１７】
光配線盤９１は、架９２の外部から導入された光ファイバケーブル７を中継し、架９２に搭載された、光ユニット９３へ接続する為のものある。光ユニット９３は、光ファイバケーブル７により転送されたデータを処理する為のものである。
【００１８】
図２Ａ及び図２Ｂを用いて光配線盤９１について説明する。図２Ａは本発明による光配線盤正面斜視図を、図２Ｂは本発明による光配線盤背面斜視図を示す。
【００１９】
光配線盤９１は、シェルフ１、スライドレール２、可動フォルダ３、光コネクタアダプタ４、ブランクパネル５、光ファイバケーブル７、ケーブルガイド８を有している。
架９２の外部から導入された光ファイバケーブル７は光配線盤９１の背面に設けられたケーブルガイド８を通した後、背面側の光コネクタアダプタ４に接続される。
次に、正面側の光コネクタアダプタ４に光ファイバケーブル７を接続し、正面に設けられたケーブルガイド８を通した後、光ユニット９３へ接続される。
尚、光ファイバケーブル７は全ての光コネクタアダプタ４に接続されるが、本実施例では一部のみ図示し省略している。
【００２０】
図４に光コネクタアダプタ４を可動フォルダ３に実装する前の状態図を、図５に光コネクタアダプタ４を可動フォルダ３に実装した後の状態図を示す。
【００２１】
可動フォルダ３は、光コネクタアダプタ４を取付けるために縦方向に複数配置された光コネクタアダプタ取付け穴３１と、４隅にスライドレール２を挿入するためのスライドレール取付け穴３２と、可動フォルダ３をスライド移動する時に取手になるスライド用レバー３３とを有する。
【００２２】
光コネクタアダプタ４は、光ファイバケーブル７を中継接続するものであり、光ファイバケーブル７の光コネクタ７１（後述）を接続するための、光コネクタ挿入部４３を光コネクタアダプタ４の正面と背面とに備え、可動フォルダ３と固定するための光コネクタアダプタ係止面a４１と光コネクタアダプタ係止面b４２とを有する。
【００２３】
可動フォルダ３の光コネクタアダプタ取付け穴３１にそれぞれ光コネクタアダプタ４を図４に示すＡ方向に挿入していくと、光コネクタアダプタ取付け穴３１を有する可動フォルダ３の裏面と光コネクタアダプタ４の光コネクタアダプタ係止面b４２とが接触したところで停止する。光コネクタアダプタ取付け穴３１の縁部が光コネクタアダプタ４の光コネクタアダプタ係止面a４１と光コネクタアダプタ係止面b４２に挟まれることで、光コネクタアダプタ４が可動フォルダ３に固定される。
このようにして、光コネクタアダプタ４が可動フォルダ３の縦方向に複数並び実装される。
【００２４】
図３を用いて、本光配線盤の組立ての概要を説明する。図３は光配線盤の分解斜視図を示す。
【００２５】
先ず、可動フォルダ３の光コネクタアダプタ取付け穴３１に光コネクタアダプタ４を実装した後、スライドレール２をシェルフ１のスライドレール固定穴１１に挿入し、スライドレール２に必要数量の可動フォルダ３を実装する（可動フォルダのスライドレール取付け穴３２にスライドレール２を挿入）。最後に他端のシェルフ１のスライドレール固定穴１１にスラードレール２を通し、スラードレール２両端の固定ネジ部２１に固定用ナット２２を取り付けてスライドレール２をシェルフ１と固定する。
次に、シェルフ１の正面及び背面のケーブルガイド取付け穴１５にケーブルガイド８の固定用スナップ８１を差し込み、シェルフ１にケーブルガイド８を固定する。
外部装置等に接続された光ファイバケーブル７をケーブルガイド８のガイド部８２を通した後、可動フォルダ３に実装された光コネクタアダプタ４の正面及び背面の光コネクタ挿入部４３に光ファイバケーブル７の光コネクタ７１を接続する。
次に、後述するブランクパネル５を正面よりスライドレール２に取付ける。
【００２６】
図６に、シェルフ１に対するスライドレール２と可動フォルダ３の取り付け詳細図を示す。
【００２７】
シェルフ１は両端に配置された側壁１６に対称なスライドレール固定穴１１を有し、スライドレール２は円形棒状の形状で、両端にねじ山を形成した固定ねじ部２１を有する。
先ず、スライドレール固定穴１１の片端にスライドレール２をもう片端のスライドレール固定穴１１に向かって挿入し、可動フォルダ３の上下にそれぞれ２個づつ設けられたスライドレール取付け穴３２に通しスライドレール２に可動フォルダ３を取り付ける。
可動フォルダ３は必要数量(本事例では16個を２段)をスライドレール２に通して取り付けた後、スライドレール２をもう片端のスライドレール固定穴１１に挿入し、固定ネジ部２１に固定用ナット２２を締結しスライドレール２をシェルフ１に固定する。
この状態で可動フォルダ３はスライドレール取付け穴３２にスライドレール２が挿入されているので、上下方向及び前後方向への移動が制約され、スライドレール２の長手方向にのみスライド移動可能である。
前記必要数量は、可動フォルダ３をスライドレール２の長手方向へスライド移動可能にするための空間が必要となるため、最大取り付け可能個数をＮ個とした場合、Ｎ個より1個以上少ない数量でなくてはならない。（図２Ａに示す本事例ではＮ個より２個少ない数量で図示している。）
図７にシェルフ１に対するケーブルガイド８の取付け詳細図を示す。
ケーブルガイド８は、スナップ嵌合可能な固定用スナップ８１と、光ファイバケーブル７の配線ルートをガイドするガイド部８２とを有する。
シェルフ１に設けられたケーブルガイド取付け穴１５にケーブルガイド８の固定用スナップ８１を挿入しスナップ嵌合させ、ケーブルガイド８がシェルフ１に固定される。
【００２８】
図８に光コネクタアダプタ４に対する光ファイバケーブル７の接続作業の詳細図を、図９に接続作業及び接続解除作業時の可動フォルダ３操作作業の詳細図を示す。ここで、光コネクタアダプタ４は可動フォルダ３に実装された状態である。
【００２９】
光コネクタアダプタ４に設けられた光コネクタ挿入部４３に光ファイバケーブル７の光コネクタ７１を挿入すると、光コネクタ７１のコネクタロック７２が抜去方向への移動を抑制する機構となっていて、光コネクタ挿入部４３に光コネクタ７１が固定され光ファイバケーブル７が光コネクタアダプタ４に接続される。
接続作業及び接続解除作業時は、光コネクタアダプタ４の正面及び背面の両面から行われる。
接続解除作業は光コネクタ７１のコネクタロック７２を押下することにより抜去方向への移動抑制が解除され、光コネクタ挿入部４３と光コネクタ７１との固定が解除され、光ファイバケーブル７と光コネクタアダプタ４の接続解除がなされる。
接続作業及び接続解除作業時は、接続作業及び接続解除作業を行う可動フォルダ３に対し、隣接する可動フォルダ３をスライド用レバー３３を摘まんで、遠ざける方向にスライド移動させることにより、接続作業及び接続解除作業に必要な作業空間が可動フォルダ３の片側又は両側にできるので、接続作業及び接続解除作業が容易に行える。
また、可動フォルダ３には複数の光コネクタアダプタ４が実装されていて、可動フォルダ３をスライド移動すると、光コネクタアダプタ４を複数同時にスライド移動できるので、光コネクタアダプタ４を単体でスライド移動するよりスライド移動の回数が低減される。
【００３０】
図１０にブランクパネル５の取付け図を、図１１にブランクパネル５の取り付け詳細図を示す。
【００３１】
ブランクパネル５にはスライドレール２の直径より大きな径のスライドレール取付け穴５１と、スライドレール２の直径より小さな径のスライドレール開口部５２と、着脱レバー５３を有し、ブランクパネル５をスライドレール２に向かって移動すると、ブランクパネル５は、スライドレール２とスナップ嵌合され、ブランクパネル５がスライドレール２に取付けられる。
ブランクパネル５は前記長手方向へスライド移動可能にするための空間に実装されるので、スライド移動を可能にするための空間がなくなり、可動フォルダ３のスライド移動が抑制され、可動フォルダ３は固定される。
また、ブランクパネル５は着脱レバー５３を摘み、取付け方向と逆方向へ移動するとスナップ嵌合が解除され、ブランクパネル５がスライドレール２から取外す事ができる。
【実施例２】
【００３２】
図１２に本発明の実施例２の光配線盤を示す。
【００３３】
本発明は、実施例１に限定されず、例えば、可動フォルダ３に実装される光コネクタアダプタ４の数量を増減させることが可能である。そして、可動フォルダ３とブランクパネル５の取り付け数量および組み合わせを変えることで、接続数に応じたパネル構成を自在に変更可能である。
【００３４】
また、可動フォルダ３のスライドレール取付け穴３２の形状を、ブランクパネル５のスライドレール取付け穴５１とスライドレール開口部５２と同じ形状に変更し、可動フォルダ３をスライドレール２から着脱自在にすることで、光コネクタアダプタ４を実装した可動フォルダ３とブランクパネル５の組み合わせを入れ替えることが可能で、多様なレイアウト変更を容易に行うことができる。
例えば、光コネクタアダプタ４を実装した可動フォルダ３を接続先毎に並べて、区切りたい位置にブランクパネル５を実装することにより、接続先別にエリアを区切れるので、作業性の向上や誤接続防止などの効果がある。
【実施例３】
【００３５】
図１３に本発明の実施例３の光配線盤を示す。実施例３は、可動フォルダ３の固定の形態を変えたものである。
【００３６】
塞ぎ扉６は、ブランクパネル５のスライドレール取付け穴５１とスライドレール開口部５２と同形状の取付け穴を有していて、スライドレール２に可動フォルダ３の取付けられていない空きスペースと同じ幅である。
【００３７】
実施例３では、塞ぎ扉６をシェルフ１に蝶番１４で取付けて、蝶番１４を軸に開閉可能にする。スライドレール２に向かって塞ぎ扉６を閉塞すると、取付け穴とスライドレール２がスナップ嵌合され、可動フォルダ３のスライド移動可能にするための空間を塞ぐ。これにより、可動フォルダ３のスライド移動が抑制され、可動フォルダ３を固定することが可能である。
【００３８】
本実施例の塞ぎ扉６の閉塞により可動フォルダ３を固定する形態は、１回の閉塞作業で複数のブランクパネル５を実装する(本事例では４個)のと同じ作用をする為、作業工数低減の効果がある。
【符号の説明】
【００３９】
１  シェルフ
１１  スライドレール固定穴
１４  蝶番
１５  ケーブルガイド取付け穴
１６  側壁
２  スライドレール
２１  固定ネジ部
２２  固定用ナット
３  可動フォルダ
３１  光コネクタアダプタ取付け穴
３２  スライドレール取付け穴
３３  スライド用レバー
４  光コネクタアダプタ
４１  光コネクタアダプタ係止面a
４２  光コネクタアダプタ係止面b
４３  光コネクタ挿入部
５  ブランクパネル
５１  スライドレール取付け穴
５２  スライドレール開口部
５３  着脱レバー
５４  ブランクパネル側面
６  塞ぎ扉
７  光ファイバケーブル
７１  光コネクタ
７２  コネクタロックレバー
８  ケーブルガイド
８１  固定用スナップ
８２  ガイド部
９  光通信装置
９１  光配線盤
９２  架
９３  光ユニット
【図１】
2015102765.tif 000003
【図２Ａ】
2015102765.tif 000004
【図２Ｂ】
2015102765.tif 000005
【図３】
2015102765.tif 000006
【図４】
2015102765.tif 000007
【図５】
2015102765.tif 000008
【図６】
2015102765.tif 000009
【図７】
2015102765.tif 000010
【図８】
2015102765.tif 000011
【図９】
2015102765.tif 000012
【図１０】
2015102765.tif 000013
【図１１】
2015102765.tif 000014
【図１２】
2015102765.tif 000015
【図１３】
2015102765.tif 000016